(57)【要約】【課題】開口部を比較的広く開いて、ポケットの収容部に被収容物を入れることができる保持具を提供する。【解決手段】この保持具は、表紙１２と、表紙１２に熱溶着されて固着される一または複数のポケット材２４とからなる保持具であって、少なくとも、表紙１２とポケット材２４との熱溶着される領域が、熱溶着に適する素材からなり、ポケット材２４は、溶着領域で表紙１２の溶着領域に熱溶着されて、側縁３６ａ，３６ｂ、溶着部および底縁３８ａ，３８ｂで囲繞され、一部を開口したポケット１４が形成され、溶着部２６，１２６部位の開口縁側であってポケット材２４の縁近傍が表紙１２の表面に熱溶着されないで開口されて、開口部６０よりポケット１４に被収容物Ｘを入れるときに、ポケット１４の開口部６０とともに広く拡開するように形成された、保持具である。【選択図】      図１
2004216595.tif 000002
【特許請求の範囲】
【請求項１】
表紙と、前記表紙に熱溶着されて固着される一または複数のポケット材とからなる保持具であって、
少なくとも、表紙とポケット材との熱溶着される領域が、熱溶着に適する素材からなり、
ポケット材は、左右側縁と底縁とが連続し、且つ該側縁と連続し底縁と対向する開口縁に開口部が形成され、溶着領域で表紙の溶着領域に熱溶着されて、側縁、溶着部および底縁で囲繞され、一部を開口したポケットが形成され、
前記溶着部部位の開口縁側であってポケット材の縁近傍が表紙の表面に熱溶着されないで開口されて、開口部よりポケットに被収容物を入れるときに、ポケットの開口部とともに広く拡開するように形成された、保持具。
【請求項２】
表紙と、前記表紙に熱溶着されて固着される一または複数のポケット材とからなる保持具であって、
少なくとも、表紙とポケット材との熱溶着される領域が、熱溶着に適する素材からなり、
ポケット材は、左右側縁と底縁とが連続し、且つ該左右側縁と連続し底縁と対向する開口縁に開口部が形成され、
前記側縁、溶着部および底縁で囲繞され、一部を開口したポケットが、該溶着部を挟んで左右に形成され、
前記溶着部部位の開口縁側であってポケット材の縁近傍が表紙の表面に熱溶着されないで開口されて、開口部よりポケットに被収容物を入れるときに、ポケットの開口部とともに広く拡開するように形成された、請求項１に記載の保持具。
【請求項３】
表紙は、比較的厚い熱可塑性合成樹脂シート材からなり、ポケット材は、比較的薄い熱可塑性合成樹脂シートまたはフィルム材からなり、
ポケットを構成する一または複数のポケット材が略々溶融するとともに表紙がわずかに溶融して、ポケット材が表紙に溶着され、
前記溶着部部位の開口縁側からポケット材の開口縁まで表紙に熱溶着されていないで分離した状態であり、開口部よりポケットに被収容物を入れるときに、ポケットの開口部とともに広く拡開するように形成された、請求項１または請求項２に記載の保持具。
【請求項４】
溶着部は、その上部が、ポケット材の上端縁より１０ｍｍ以上下がった位置に至るまで、ポケット材の溶着領域と表紙の溶着領域の表面とが溶着されて形成され、
該溶着部の上部であってポケット材の上縁近傍に第３開口部が形成され、
該第３開口部は、ポケット材の上端縁より該溶着部に至るまで形成されて、第１ポケットの第１開口部と第２ポケットの第２開口部と該第３開口部とが連続した開口部を構成するように形成された、請求項１ないし請求項３のいずれかに記載の保持具。
【請求項５】
溶着部は、点状溶着部がポケット材の中央に形成され、且つ該点状溶着部より適宜な間隔をおいて連続状溶着部がポケット材の中央に連続して形成され、
該点状溶着部は、その上部がポケット材の上端縁より１０ｍｍ以上下がった位置において、ポケット材の溶着領域と表紙の溶着領域の表面とが溶着されて形成され、
該点状溶着部の上部であって、ポケット材の上縁近傍に第３開口部が形成され、
第３開口部は、ポケット材の上端縁より該点状溶着部に至るまで形成されて、第１ポケットの第１開口部と第２ポケットの第２開口部と該第３開口部とが連続した開口部を構成するように形成された、請求項１ないし請求項４のいずれかに記載の保持具。
【発明の詳細な説明】
【０００１】
【発明の属する技術分野】
この発明は、保持具に関し、特にたとえば、ポケットを有するプラスチック製ポケット材の中央を熱溶着によって背表紙に取り付けたポケット固定タイプで、ポケットに書類等を入れることができる保持具に関する。
【０００２】
【従来の技術】
従来のポケット固定タイプの保持具は、例えば、実用新案登録第３０２６４６０号に見られるように、透明プラスチック製台紙の中央に、プラスチック製表紙に熱溶着で固着され、その溶着部を挟んで左右に形成されたポケットに書類等を収容するように形成されている。
【０００３】
【特許文献１】
実用新案登録第３０２６４６０号公報
【０００４】
【発明が解決しようとする課題】
この従来の保持具のポケット部は、その開口部が、該開口部より下部に形成される収容部と同一幅に形成されている。すなわち、ポケット材を背表紙に熱溶着するとき、その溶着部位がポケット材の上端（開口縁側）より下端（底縁側）に至るように形成され、溶着部位の上端側も下端側も、いずれもポケット材の上端近傍あるいは下端近傍に近い位置まで形成されている。そのために、ポケット部の収容部に物を出し入れする開口部は、溶着部位によってその幅が規制され、収容部と同一幅以上広く開くことはできない。
したがって、開口部より収容物を出し入れしようとした場合、特に紙片等のように腰のないものの場合、ポケット部内に開口部より入れることは難しく、ときには、紙片が折れ曲がってしまうこともある。
【０００５】
それゆえに、この発明の主たる目的は、開口部を比較的広く開いて、ポケットの収容部に被収容物を入れることができる保持具を提供することである。
【０００６】
【課題を解決するための手段】
この発明の請求項１にかかる保持具は、表紙と、表紙に熱溶着されて固着される一または複数のポケット材とからなる保持具であって、少なくとも、表紙とポケット材との熱溶着される領域が、熱溶着に適する素材からなり、ポケット材は、左右側縁と底縁とが連続し、且つ該側縁と連続し底縁と対向する開口縁に開口部が形成され、溶着領域で表紙の溶着領域に熱溶着されて、側縁、溶着部および底縁で囲繞され、一部を開口したポケットが形成され、溶着部部位の開口縁側であってポケット材の縁近傍が表紙の表面に熱溶着されないで開口されて、開口部よりポケットに被収容物を入れるときに、ポケットの開口部とともに広く拡開するように形成された、保持具である。
この発明の請求項２にかかる保持具は、表紙と、表紙に熱溶着されて固着される一または複数のポケット材とからなる保持具であって、少なくとも、表紙とポケット材との熱溶着される領域が、熱溶着に適する素材からなり、ポケット材は、左右側縁と底縁とが連続し、且つ該左右側縁と連続し底縁と対向する開口縁に開口部が形成され、側縁、溶着部および底縁で囲繞され、一部を開口したポケットが、該溶着部を挟んで左右に形成され、溶着部部位の開口縁側であってポケット材の縁近傍が表紙の表面に熱溶着されないで開口されて、開口部よりポケットに被収容物を入れるときに、ポケットの開口部とともに広く拡開するように形成された、請求項１に記載の保持具である。
この発明の請求項３にかかる保持具は、表紙は、比較的厚い熱可塑性合成樹脂シート材からなり、ポケット材は、比較的薄い熱可塑性合成樹脂シートまたはフィルム材からなり、ポケットを構成する一または複数のポケット材が略々溶融するとともに表紙がわずかに溶融して、ポケット材が表紙に溶着され、溶着部部位の開口縁側からポケット材の開口縁まで表紙に熱溶着されていないで分離した状態であり、開口部よりポケットに被収容物を入れるときに、ポケットの開口部とともに広く拡開するように形成された、請求項１または請求項２に記載の保持具である。
この発明の請求項４にかかる保持具は、溶着部は、その上部が、ポケット材の上端縁より１０ｍｍ以上下がった位置に至るまで、ポケット材の溶着領域と表紙の溶着領域の表面とが溶着されて形成され、該溶着部の上部であってポケット材の上縁近傍に第３開口部が形成され、該第３開口部は、ポケット材の上端縁より該溶着部に至るまで形成されて、第１ポケットの第１開口部と第２ポケットの第２開口部と該第３開口部とが連続した開口部を構成するように形成された、請求項１ないし請求項３のいずれかに記載の保持具である。
この発明の請求項５にかかる保持具は、溶着部は、点状溶着部がポケット材の中央に形成され、且つ該点状溶着部より適宜な間隔をおいて連続状溶着部がポケット材の中央に連続して形成され、該点状溶着部は、その上部がポケット材の上端縁より１０ｍｍ以上下がった位置において、ポケット材の溶着領域と表紙の溶着領域の表面とが溶着されて形成され、該点状溶着部の上部であって、ポケット材の上縁近傍に第３開口部が形成され、第３開口部は、ポケット材の上端縁より該点状溶着部に至るまで形成されて、第１ポケットの第１開口部と第２ポケットの第２開口部と該第３開口部とが連続した開口部を構成するように形成された、請求項１ないし請求項４のいずれかに記載の保持具である。
【０００７】
〔発明の作用・効果〕
請求項１および請求項２の発明によれば、ポケット材と表紙との溶着部位の開口縁側であってポケット材の縁近傍が表紙に熱溶着されないで開口され、開口部よりポケットに被収容物を入れるときに、ポケットの開口部とともに広く拡開するように形成されているので、ポケットの収容部への開口部よりの物の出し入れが容易となり、開口部に被収容物が触れることが少なくなって被収容物が折れ曲がったりすることなく、被収容物を円滑に入れることができる。
請求項３の発明によれば、ポケットを構成する一又は複数のポケット材が略々溶融するとともに、表紙がわずかに溶融して、ポケット材が表紙に溶着され、強固にポケット材が表紙に固着されるとともに、ポケット材と表紙との溶着部位の開口縁側からポケット材の開口端縁まで表紙に熱溶着されないで開口され、開口部よりポケットに被収容物を入れるときに、ポケットの開口部とともに広く拡開するように形成されているので、ポケットの収容部への開口部よりの物の出し入れが容易となり、開口部に被収容物が触れることが少なくなって被収容物が折れ曲がったりすることなく、被収容物を円滑に入れることができる。
請求項４の発明によれば、溶着部の上部であってポケット材の上縁近傍に第３開口部が形成され、該第３開口部は、ポケット材の上端縁より該溶着部に至るまで形成されて、第１ポケットの第１開口部と第２ポケットの第２開口部と該第３開口部とが連続した開口部を構成しているので、第１ポケットの第１開口部あるいは第２ポケットの第２開口部の幅よりも開口部の幅が広がり、ポケットの収容部への被収容物の出し入れが容易となり、腰のない紙等の被収容物であっても、円滑に収容部へ入れることができる。
ポケット材と表紙とを熱溶着して固定する熱溶着部位を連続溶着部のみにて形成すると、ポケット材の上端と比較的間隔をおいて形成される連続状溶着部との間が、ポケット材の下端との連続状熱溶着部の下部との間隔と比較して長いために、熱溶着が十分なされていないと誤解されるおそれがあるので、請求項５の発明によれば、ポケット材の上端と連続状溶着部の上部との間に、点状溶着部が形成されることによって、意図的に点状溶着部が形成されており、強固にポケット材と表紙とを接着しているという印象を与えることができる。
さらに、点状溶着部は、その上部がポケット材の上端縁より１０ｍｍ以上下がった位置において、ポケット材の溶着領域と表紙の溶着領域の表面とが溶着されて形成され、該点状溶着部の上部であって、ポケット材の上縁近傍に第３開口部が形成され、該第３開口部は、ポケット材の上端縁より該点状溶着部に至るまで形成されて、第１ポケットの第１開口部と第２ポケットの第２開口部と該第３開口部とが連続した開口部を構成しているので、第１ポケットの第１開口部あるいは第２ポケットの第２開口部の幅よりも、開口部の幅が広がり、ポケットの収容部への被収容物の出し入れが容易となり、比較的腰のない紙等の被収容物の場合も、円滑に収容部へ入れることができる。
【０００８】
この発明の上述の目的，その他の目的，特徴および利点は、図面を参照して行う以下の発明の実施の形態の詳細な説明から一層明らかとなろう。
【０００９】
【発明の実施の形態】
図１は、この発明の一実施の形態であるポケットファイルの内側からみた正面図解図である。図２は、図１図示のポケットファイルの表紙の平面図解図であり、図３は、図１図示のポケットファイルのＡ−Ｂ部分の拡大正面図解図であり、図４は、溶着部近傍の縦断面図解図であり、図５は、表紙に溶着される前のポケット材の図解図であり、図６及び図７は、図１図示のポケットファイルの使用方法を示す図解図である。
【００１０】
このファイル１０は、ポリプロピレンからなる比較的厚い表紙１２と、前記表紙１２の内側面に熱溶着によって固着された比較的薄い透明ポリプロピレンシートまたはフィルムからなり、その内側に用箋等の被収容物Ｘを収納できる袋状のポケット１４とからなる。
この明細書においては、シート、シート状物、フィルム、フィルム状物を含めた総称として、シートという。
【００１１】
表紙１２は、表表紙１６と、裏表紙１８および背表紙２０を有し、表紙１２は、透明または不透明であって、前記ポケット１４を構成するポケット材２４が熱溶着されたとき、熱溶着性に優れたポリプロピレン、塩化ビニール等の熱可塑性合成樹脂シート素材からなる。
この実施の形態においては、表紙１２は、全体が同一素材からなり、表表紙１６と、裏表紙１８と、表表紙１６と裏表紙１８との間の折り曲げ部２２ａ，２２ｂを介して連設された背表紙２０とが、一体成形されている。
【００１２】
表紙１２の折り曲げ部２２ａと折り曲げ部２２ｂとの間の溶着領域２０ａにおいて、ポケット材２４が溶着され、ポケット材２４が溶着された熱溶着部２６を挟んで左側に形成される第１ポケット部２８と右側に形成される第２ポケット部３０とを備える。
第１ポケット部２８の上端には、第１開口部３２が形成され、第２ポケット部３０の上端には、第２開口部３４が形成されている。
【００１３】
ポケット材２４は、透明または半透明のポリプロピレンフィルムまたは塩化ビニルフィルム等のように、熱溶着に適する熱可塑性合成樹脂フィルム素材またはシート素材からなる。
そして、この実施の形態においては、ポケット材２４は、ファイル１０を縦長として、左側には上部短辺側に第１開口部３２が形成されるとともに、右側には上部短辺側に第２開口部３４が形成された、縦長のポケット状に形成されている。
【００１４】
そして、ポケット材２４は、図５に示すように、熱溶着される前においては、直線状の左側縁３６ａおよび直線状の右側縁３６ｂと直線状の底縁３８とが直交して連続してつながってなり、左側縁３６ａおよび右側縁３６ｂと連続し且つ底縁３８と対向する直線状の上縁４０において、開口部６０が形成された横長袋状である。
このポケット材２４は、同一形状のものを複数枚重ねられ、ポケット材２４の略中央の溶着領域４２で表紙１２の溶着領域２０ａに熱溶着されて、左右同一の大きさの縦長ポケット、すなわち第１ポケット部２８と第２ポケット部３０とを形成する。
溶着領域４２は、左側縁３６ａおよび右側縁３６ｂと平行で、上縁４０と底縁３８とに直交するように構成されている。
【００１５】
第１ポケット部２８は、左側縁３６ａ、熱溶着部２６および底縁３８ａで囲繞され、第２ポケット部３０は、右側縁３６ｂ、熱溶着部２６および底縁３８ｂで囲繞され、上部に第１開口部３２および第２開口部３４が形成されてなる。
第１開口部３２は、左側縁３６ａと連続し底縁３８ａと対向する上縁（開口端縁）４０に形成され、第２開口部３４は、右側縁３６ｂと連続し底縁３８ｂと対向する上縁（開口端縁）４０に形成されている。
第１ポケット部２８と第２ポケット部３０とは、熱溶着部２６を挟んで左右一対のポケット１４を構成するように形成されている。
【００１６】
溶着領域２０ａおよび溶着領域４２に形成された熱溶着部２６は、点状溶着部４４と、該点状溶着部４４とは適宜な間隔をおいてその下部に形成された連続状溶着部４６とからなり、概して言えば、点状溶着部４４と連続状溶着部４６とにより、ｉの字型を形成するように構成されている。
【００１７】
点状溶着部４４は、その上部が、ポケット材２４の上縁４０の端縁（点状溶着部４４の直上の上端縁）より１０ｍｍ以上下がった位置に至るまで、ポケット材２４の中央の溶着領域４２と表紙１２の溶着領域２０ａの表面（背表紙２０の内側表面）とが溶着されて形成されている。
該点状溶着部４４の上部とポケット材２４との間は、熱溶着されないでポケット材２４の元の状態が維持されており、該点状溶着部４４の上部（上縁４０側の上部）とポケット材２４の上縁４０の端縁（点状溶着部４４の直上における）より１０ｍｍ以上下がった位置に形成された点状溶着部４４の間において第３開口部４８が形成され、第１ポケット部２８の第１開口部３２と第２ポケット部３０の第２開口部３４と第３開口部４８とが連続した開口部６０を構成するように形成されている。
【００１８】
連続状溶着部４６は、ポケット材２４の溶着領域４２と表紙１２の溶着領域２０ａの表面（背表紙２０の内側表面）において、点状溶着部４４とは適宜な間隔（例えば４ｍｍの間隔）をおいた位置より、ポケット材２４の下端（底縁３８）近傍に至るまで、適宜な幅をもって略直線状に連続して複数のポケット材２４を略溶融するとともに、表紙１２がわずかに溶融して、ポケット材２４が表紙１２に溶着されることによって形成される。
連続状溶着部４６は、左側縁３６ａおよび右側縁３６ｂと平行で、上縁４０と底縁３８とに直交するように構成されている。
この実施の形態においては、点状溶着部４４は、直径約４ｍｍで、ポケット材２４の上縁４０の端縁と点状溶着部４４の中心との距離が１２ｍｍで、連続状溶着部４６の上部とポケット材２４の上縁４０の端縁との間は、１６ｍｍの間隔をもって形成されている。
【００１９】
図８は、この発明の別の実施の形態であるポケットファイルの内側からみた正面図解図である。図９は、図８図示のポケットファイルのＡ−Ａ断面図であり、図１０は、図９図示のポケットファイルのＢ−Ｂ部分断面図であり、図１１は、図８図示ポケットファイルの要部の正面図解図であり、図１２は、図８図示のポケットファイルの使用方法を示す図解図である。
【００２０】
このファイル１１０は、ポリプロピレンからなる比較的厚い表紙１１２と、前記表紙１１２の内側面に熱溶着によって固着された比較的薄い透明ポリプロピレンシートまたはフィルムからなり、その内側に用箋等の被収容物Ｘを収納できる袋状のポケット１１４とからなる。
【００２１】
表紙１１２は、表表紙１１６と、裏表紙１１８および背表紙１２０を有し、表紙１１２は、透明または不透明であって、前記ポケット１１４を構成するポケット材１２４が熱溶着されたとき、熱溶着性に優れたポリプロピレン、塩化ビニール等の熱可塑性合成樹脂シート素材からなる。
この実施の形態においては、表紙１１２は、全体が同一素材からなり、表表紙１１６と、裏表紙１１８と、表表紙１１６と裏表紙１１８との間の折り曲げ部１２２ａ，１２２ｂを介して連設された背表紙１２０とが、一体成形されている。
【００２２】
表紙１１２の折り曲げ部１２２ａと折り曲げ部１２２ｂとの間の溶着領域１２０ａにおいて、ポケット材１２４が溶着され、ポケット材１２４が溶着された熱溶着部１２６を挟んで左側に形成される第１ポケット部１２８と右側に形成される第２ポケット部１３０とを備える。
第１ポケット部１２８の上端には、第１開口部１３２が形成され、第２ポケット部１３０の上端には、第２開口部１３４が形成されている。
【００２３】
ポケット材１２４は、透明または半透明のポリプロピレンフィルムまたは塩化ビニルフィルム等のように、熱溶着に適する熱可塑性合成樹脂フィルム素材またはシート素材からなる。
そして、この実施の形態においては、ポケット材１２４は、ファイル１１０を縦長として、左側には上部短辺側に第１開口部１３２が形成されるとともに、右側には上部短辺側に第２開口部１３４が形成された、縦長のポケット状に形成されている。
【００２４】
そして、ポケット材１２４は、図５に示すように、熱溶着される前においては、左側縁１３６ａおよび右側縁１３６ｂと底縁１３８とが直交して連続してつなが
っており、左側縁１３６ａおよび右側縁１３６ｂと連続し且つ底縁１３８と対向する上縁１４０において、開口部１６０が形成された横長袋状である。
このポケット材１２４は、同一形状のものを複数枚重ねられ、ポケット材１２４の略中央の溶着領域１４２で表紙１１２の溶着領域１２０ａに熱溶着されて、左右同一の大きさの縦長ポケット、すなわち第１ポケット部１２８と第２ポケット部１３０とを形成する。
溶着領域１４２は、左側縁１３６ａおよび右側縁１３６ｂと平行で、上縁１４０と底縁１３８とに直交するように構成されている。
【００２５】
第１ポケット部１２８は、左側縁１３６ａ、熱溶着部１２６および底縁１３８ａで囲繞され、第２ポケット部１３０は、右側縁１３６ｂ、熱溶着部１２６および底縁１３８ｂで囲繞され、上部に第１開口部１３２および第２開口部１３４が形成されてなる。
第１開口部１３２は、左側縁１３６ａと連続し底縁１３８ａと対向する上縁（開口端縁）１４０に形成され、第２開口部１３４は、右側縁１３６ｂと連続し底縁１３８ｂと対向する上縁（開口端縁）１４０に形成されている。
第１ポケット部１２８と第２ポケット部１３０とは、熱溶着部１２６を挟んで左右一対のポケット１１４を構成するように形成されている。
【００２６】
熱溶着部１２６は、その上部が、ポケット材１２４の上縁１４０の端縁（熱溶着部１２６の直上の上端縁）より１０ｍｍ以上下がった位置に至るまで、ポケット材１２４の中央の溶着領域１４２と表紙１１２の溶着領域１２０ａの表面（背表紙１２０の内側表面）とが溶着されて形成されている。
熱溶着部１２６の上部とポケット材１２４との間は、熱溶着されないでポケット材１２４の元の状態が維持されており、該熱溶着部１２６の上部（上縁１４０側の上部）とポケット材１２４の上縁１４０の端縁（熱溶着部１２６の直上における）より１０ｍｍ以上下がった位置に形成された熱溶着部１２６の間において第３開口部１４８が形成され、第１ポケット部１２８の第１開口部１３２と第２ポケット部１３０の第２開口部１３４と第３開口部１４８とが連続した開口部１６０を構成するように形成されている。
【００２７】
熱溶着部１２６は、ポケット材１２４の溶着領域１４２と表紙１１２の溶着領域１２０ａの表面（背表紙１２０の内側表面）において、ポケット材１２４の下端（底縁１３８）近傍に至るまで、適宜な幅をもって連続して複数のポケット材１２４を略溶融するとともに、表紙１１２がわずかに溶融して、ポケット材１２４が表紙１１２に溶着されることによって形成される。
熱溶着部１２６は、左側縁１３６ａおよび右側縁１３６ｂと平行で、上縁１４０と底縁１３８とに直交するように構成されている。
【００２８】
この実施の形態においては、第１ポケット部１２８と第２ポケット部１３０とには、仕切材１５０が嵌装されている。仕切材１５０は、第１開口部１３２及び第２開口部１３４よりはみ出し、且つはみ出した部分１５０ａの上端縁が円弧状に形成された略方形状の紙片からなり、該はみ出した部分１５０ａが、被収容物Ｘをポケット１１４の収容部内に入れるときに、ガイドとなり、第３開口部１４８と協働して、被収容物をより一層入れ易くするように構成されている。
【００２９】
このポケット材２４を表紙１２に熱溶着する溶着方法としては、発熱が溶着部のみに集中して起こる超音波シール法が採用され、超音波シーラーを構成する発振機と加工機側は、表紙１２を下側として溶着される複数のポケット材２４をその表面に載置し、ポケット材２４側から超音波振動を与えて発熱溶融させて熱溶着されている。
もっとも、熱溶着の方法については、前記超音波シールの他、高周波シール等の内部発熱法によって熱溶着する方法や、ヒートシール法、インパルスシール法等のような外部加熱法（熱伝導法）を用いて熱溶着してもよく、また熱融着、溶接で表わされる熱溶着法も同義である。
【００３０】
この発明は、前記実施の形態に限らず、種々変更が可能である。
例えば、２番目の実施の形態において説明した仕切り材を１番目の実施の形態のポケットに嵌装して、被収容物のポケットの収容部への挿入をより一層容易とするように構成してもよい。
また、熱溶着部２６，１２６の位置は、ポケット材２４，１２４の中央ではなく、左側縁３６ａ，１３６ａの近傍に設けてもよい。そのようにすれば、ポケット材２４，１２４によって２つ折りのポケットを構成することができる。
【図面の簡単な説明】
【図１】この発明の一実施の形態であるポケットファイルの内側からみた正面図解図である。
【図２】図１図示のポケットファイルの表紙の平面図解図である。
【図３】図１図示のポケットファイルのＡ−Ｂ部分の拡大正面図解図である。
【図４】溶着部近傍の縦断面図解図である。
【図５】表紙に溶着される前のポケット材の図解図である。
【図６】図１図示のポケットファイルの使用方法を示す図解図である。
【図７】図１図示のポケットファイルの使用方法を示す図解図である。
【図８】この発明の別の実施の形態であるポケットファイルの内側からみた正面図解図である。
【図９】図８図示のポケットファイルのＡ−Ａ断面図である。
【図１０】図９図示のポケットファイルのＢ−Ｂ部分断面図である。
【図１１】図８図示ポケットファイルの要部の正面図解図である。
【図１２】図８図示のポケットファイルの使用方法を示す図解図である。
【符号の説明】
Ｘ  被収容物
１０，１１０  ファイル
１２，１１２  表紙
１４，１１４  ポケット
１６，１１６  表表紙
１８，１１８  裏表紙
２０，１２０  背表紙
２０ａ，１２０ａ  溶着領域
２２ａ，２２ｂ，１２２ａ，１２２ｂ  折り曲げ部
２４，１２４  ポケット材
２６，１２６  熱溶着部
２８，１２８  第１ポケット部
３０，１３０  第２ポケット部
３２，１３２  第１開口部
３４，１３４  第２開口部
３６ａ，１３６ａ  左側縁
３６ｂ，１３６ｂ  右側縁
３８，１３８  底縁
４０，１４０  上縁
４２，１４２  溶着領域
４４  点状溶着部
４６  連続状溶着部
４８，１４８  第３開口部
１５０  仕切材
１５０ａ  はみ出した部分
６０（１６０）  開口部
【図１】
2004216595.tif 000003
【図２】
2004216595.tif 000004
【図３】
2004216595.tif 000005
【図４】
2004216595.tif 000006
【図５】
2004216595.tif 000007
【図６】
2004216595.tif 000008
【図７】
2004216595.tif 000009
【図８】
2004216595.tif 000010
【図９】
2004216595.tif 000011
【図１０】
2004216595.tif 000012
【図１１】
2004216595.tif 000013
【図１２】
2004216595.tif 000014